【手続補正書】
【提出日】平成26年12月12日(2014.12.12)
【手続補正１】
【補正対象書類名】特許請求の範囲
【補正対象項目名】全文
【補正方法】変更
【補正の内容】
【特許請求の範囲】
【請求項１】
ワイヤレス通信システムにおけるリンクセットアップ中のシグナリングを削減する方法であって、
デバイスにおいて、各々が前記デバイスとのリンクを確立するためのものである少なくとも２つの異なるアクセス要求メッセージを受信することと、
前記受信されたアクセス要求メッセージに応答して、アクセス応答メッセージを送信するための期間を、
いくつかの受信されたアクセス要求メッセージを識別することと、
送信を保留しているいくつかのメッセージを識別することと、前記いくつかのメッセージは、アクセス応答メッセージを含む、
前記識別されたいくつかの受信されたアクセス要求メッセージおよび送信を保留している前記いくつかのメッセージに基づいて前記期間を生成することと、
最大期間を取得することと、
前記最大期間を前記生成された期間と比較することと、
前記生成された期間が前記最大期間よりも大きい場合、前記期間を前記最大期間と判断し、それ以外の場合、前記期間を前記生成された期間と判断することと、
によって判断することと、
前記リンクを確立するための前記アクセス応答メッセージを送信するための送信時間期間をチャネル上で予約することと、前記予約は、前記判断された期間に少なくとも部分的に基づく、
前記予約期間中に前記アクセス応答メッセージを送信することと
を備える方法。
【請求項２】
前記アクセス応答メッセージを送信することが、
第１のアクセス応答メッセージを送信することと、
前記第１のアクセス応答メッセージに関連付けられた確認応答を受信すると、第２のアクセス応答メッセージを送信することとを備える、請求項１に記載の方法。
【請求項３】
前記第２のアクセス応答メッセージを送信することが、フレーム間スペースに先行される、請求項２に記載の方法。
【請求項４】
前記フレーム間スペースが１６マイクロ秒未満である、請求項３に記載の方法。
【請求項５】
前記第１のアクセス応答メッセージが複数のアクセス応答メッセージを備え、前記第１のアクセス応答メッセージを送信することが、前記第１のアクセス応答メッセージを複数のデバイスにブロードキャストすることを備える、請求項２に記載の方法。
【請求項６】
前記アクセス要求メッセージが探査要求を備える、請求項１に記載の方法。
【請求項７】
前記アクセス応答メッセージが探査応答を備える、請求項１に記載の方法。
【請求項８】
ワイヤレス通信おけるリンクセットアップ中のシグナリングを削減するように構成された装置であって、
各々が前記装置とのリンクを確立するためのものである少なくとも２つの異なるアクセス要求メッセージを受信するように構成された受信機と、
アクセス応答メッセージを送信するための期間を、
いくつかの受信されたアクセス要求メッセージを識別することと、
送信を保留しているいくつかのメッセージを識別することと、前記いくつかのメッセージは、アクセス応答メッセージを含む、
前記識別されたいくつかの受信されたアクセス要求メッセージおよび送信を保留している前記いくつかのメッセージに基づいて前記期間を生成することと、
最大期間を取得することと、
前記最大期間を前記生成された期間と比較することと、
前記生成された期間が前記最大期間よりも大きい場合、前記期間を前記最大期間と判断し、それ以外の場合、前記期間を前記生成された期間と判断することと、
によって判断するように構成されたプロセッサと、
前記プロセッサは、前記リンクを確立するための前記アクセス応答メッセージを送信するための期間をチャネル上で予約するようにさらに構成され、前記予約は、前記判断された期間に少なくとも部分的に基づく、
前記予約期間中に前記アクセス応答メッセージを送信するように構成された送信機と
を備える装置。
【請求項９】
前記アクセス応答メッセージを送信することが、
第１のアクセス応答メッセージを送信することと、
前記第１のアクセス応答メッセージに関連付けられた確認応答メッセージを受信すると、第２のアクセス応答メッセージを送信することとを備える、請求項８に記載の装置。
【請求項１０】
前記第２のアクセス応答メッセージを送信することが、フレーム間スペースに先行される、請求項９に記載の装置。
【請求項１１】
前記フレーム間スペースが１６マイクロ秒未満である、請求項１０に記載の装置。
【請求項１２】
前記第１のアクセス応答メッセージが複数のアクセス応答メッセージを備え、前記第１のアクセス応答メッセージを送信することが、前記第１のアクセス応答メッセージを複数のデバイスにブロードキャストすることを備える、請求項９に記載の装置。
【請求項１３】
前記アクセス要求メッセージが探査要求を備える、請求項８に記載の装置。
【請求項１４】
前記アクセス応答メッセージが探査応答を備える、請求項８に記載の装置。
【請求項１５】
ワイヤレス通信におけるリンクセットアップ中のシグナリングを削減するための装置であって、
各々が前記装置とのリンクを確立するためのものである少なくとも２つの異なるアクセス要求メッセージを受信するための手段と、
前記受信されたアクセス要求メッセージに応答して、アクセス応答メッセージを送信するための期間を、
いくつかの受信されたアクセス要求メッセージを識別することと、
送信を保留しているいくつかのメッセージを識別することと、前記いくつかのメッセージは、アクセス応答メッセージを含む、
前記識別されたいくつかの受信されたアクセス要求メッセージおよび送信を保留している前記いくつかのメッセージに基づいて前記期間を生成することと、
最大期間を取得することと、
前記最大期間を前記生成された期間と比較することと、
前記生成された期間が前記最大期間よりも大きい場合、前記期間を前記最大期間と判断し、それ以外の場合、前記期間を前記生成された期間と判断することと、
によって判断するための手段と、
前記リンクを確立する前記アクセス応答メッセージを送信するための送信時間期間をチャネル上で予約するための手段と、前記予約は、前記判断された期間に少なくとも部分的に基づく、
前記予約期間中に前記アクセス応答メッセージを送信するための手段と
を備える装置。
【請求項１６】
ワイヤレス通信システム内の装置のプロセッサによって実行可能な命令を備える非一時的コンピュータ可読記憶媒体であって、前記命令は、前記装置に、
各々が前記装置とのリンクを確立するためのものである少なくとも２つの異なるアクセス要求メッセージを受信させ、
前記受信されたアクセス要求メッセージに応答して、アクセス応答メッセージを送信するための期間を、
いくつかの受信されたアクセス要求メッセージを識別することと、
送信を保留しているいくつかのメッセージを識別することと、前記いくつかのメッセージは、アクセス応答メッセージを含む、
前記識別されたいくつかの受信されたアクセス要求メッセージおよび送信を保留している前記いくつかのメッセージに基づいて前記期間を生成することと、
最大期間を取得することと、
前記最大期間を前記生成された期間と比較することと、
前記生成された期間が前記最大期間よりも大きい場合、前記期間を前記最大期間と判断し、それ以外の場合、前記期間を前記生成された期間と判断することと、
によって判断させ、
前記リンクを確立するための前記アクセス応答メッセージを送信するための送信時間期間をチャネル上で予約させ、前記予約は、前記判断された期間に少なくとも部分的に基づく、
前記予約期間中に前記アクセス応答メッセージを送信させる、
非一時的コンピュータ可読記憶媒体。
【手続補正２】
【補正対象書類名】明細書
【補正対象項目名】０３０３
【補正方法】変更
【補正の内容】
【０３０３】
上記は本開示の態様を対象とするが、本開示の他の態様およびさらなる態様は、その基本的範囲から逸脱することなく考案され得、その範囲は以下の特許請求の範囲によって判断される。
以下に、本願出願の当初の特許請求の範囲に記載された発明を付記する。
［Ｃ１］  ワイヤレス通信システムにおけるリンクセットアップ中のシグナリングを削減する方法であって、
デバイスにおいて、各々が前記デバイスとのリンクを確立するためのものである少なくとも２つの異なるアクセス要求メッセージを受信することと、
前記受信したアクセス要求メッセージに応答して、アクセス応答メッセージを送信する期間を判断することと、
前記リンクを確立するための前記アクセス応答メッセージを送信するための送信期間をチャネル上で予約するであって、前記予約が、前記判断された期間に少なくとも部分的に基づくことと、
前記予約期間中に前記アクセス応答メッセージを送信することとを備える方法。
［Ｃ２］  前記アクセス応答メッセージを送信することが、
第１のアクセス応答メッセージを送信することと、
前記第１のアクセス応答メッセージに関連付けられた確認応答を受信すると、第２のアクセス応答メッセージを送信することとを備える、Ｃ１に記載の方法。
［Ｃ３］  前記第２のアクセス応答メッセージを送信することが、フレーム間スペースに先行される、Ｃ２に記載の方法。
［Ｃ４］  前記フレーム間スペースが１６マイクロ秒未満である、Ｃ３に記載の方法。
［Ｃ５］  前記第１のアクセス応答メッセージが複数のアクセス応答メッセージを備え、前記第１のアクセス応答メッセージを送信することが、前記第１のアクセス応答メッセージを複数のデバイスにブロードキャストすることを備える、Ｃ２に記載の方法。
［Ｃ６］  前記アクセス要求メッセージが探査要求を備える、Ｃ１に記載の方法。
［Ｃ７］  前記アクセス応答メッセージが探査応答を備える、Ｃ１に記載の方法。
［Ｃ８］  前記期間を判断することが、
いくつかの受信されたアクセス要求メッセージを識別することと、
送信を保留しているいくつかのメッセージを識別することであって、前記いくつかのメッセージがアクセス応答メッセージを含むことと、
前記識別されたいくつかの受信アクセス要求メッセージおよび送信を保留している前記いくつかのメッセージに基づいて前記期間を生成することとを備える、Ｃ１に記載の方法。
［Ｃ９］  前記期間を判断することが、
最大期間を取得することと、
前記最大期間を前記生成された期間と比較することと、
前記生成された期間が前記最大期間よりも大きいとき、前記期間を前記最大期間と判断し、それ以外の場合、前記期間を前記生成された期間と判断することとをさらに備える、Ｃ８に記載の方法。
［Ｃ１０］  ワイヤレス通信おけるリンクセットアップ中のシグナリングを削減するように構成された装置であって、
各々が、前記装置とのリンクを確立するためのものである、少なくとも２つの異なるアクセス要求メッセージを受信するように構成された受信機と、
アクセス応答メッセージを送信する期間を判断するように構成されたプロセッサであって、前記プロセッサが、前記リンクを確立するための前記アクセス応答メッセージを送信するための期間をチャネル上で予約するようにさらに構成され、前記予約が、前記判断された期間に少なくとも部分的に基づくプロセッサと、
前記予約期間中に前記アクセス応答メッセージを送信するように構成された送信機とを備える装置。
［Ｃ１１］  前記アクセス応答メッセージを送信することが、
第１のアクセス応答メッセージを送信することと、
前記第１のアクセス応答メッセージに関連付けられた確認応答メッセージを受信すると、第２のアクセス応答メッセージを送信することとを備える、Ｃ１０に記載の装置。
［Ｃ１２］  前記第２のアクセス応答メッセージを送信することが、フレーム間スペースに先行される、Ｃ１１に記載の装置。
［Ｃ１３］  前記フレーム間スペースが１６マイクロ秒未満である、Ｃ１２に記載の装置。
［Ｃ１４］  前記第１のアクセス応答メッセージが複数のアクセス応答メッセージを備え、前記第１のアクセス応答メッセージを送信することが、前記第１のアクセス応答メッセージを複数のデバイスにブロードキャストすることを備える、Ｃ１１に記載の装置。
［Ｃ１５］  前記アクセス要求メッセージが探査要求を備える、Ｃ１０に記載の装置。
［Ｃ１６］  前記アクセス応答メッセージが探査応答を備える、Ｃ１０に記載の装置。
［Ｃ１７］  前記時間期間を判断することが、
いくつかの受信されたアクセス要求メッセージを識別することと、
送信を保留しているいくつかのメッセージを識別することであって、前記いくつかのメッセージがアクセス応答メッセージを含むことと、
前記識別されたいくつかの受信アクセス要求メッセージおよび送信を保留している前記いくつかのメッセージに基づいて前記期間を生成することとを備える、Ｃ１０に記載の装置。
［Ｃ１８］  前記期間を判断することが、
最大期間を取得することと、
前記最大期間を前記生成された期間と比較することと、
前記生成された期間が前記最大期間よりも大きいとき、前記期間を前記最大期間と判断し、それ以外の場合、前記期間を前記生成された期間と判断することとをさらに備える、Ｃ１７に記載の装置。
［Ｃ１９］  ワイヤレス通信におけるリンクセットアップ中のシグナリングを削減するための装置であって、
各々が、前記装置とのリンクを確立するためのものである、少なくとも２つの異なるアクセス要求メッセージを受信するための手段と、
前記受信したアクセス要求メッセージに応答して、アクセス応答メッセージを送信する期間を判断するための手段と、
前記リンクを確立する前記アクセス応答メッセージを送信するための送信期間をチャネル上で予約するための手段であって、前記予約が、前記判断された期間に少なくとも部分的に基づく手段と、
前記予約期間中に前記アクセス応答メッセージを送信するための手段とを備える装置。
［Ｃ２０］  ワイヤレス通信システム内の装置のプロセッサによって実行可能な命令を備えるコンピュータ可読記憶媒体であって、前記命令が、前記装置に、
各々が、前記装置とのリンクを確立するためのものである、少なくとも２つの異なるアクセス要求メッセージを受信させ、
前記受信したアクセス要求メッセージに応答して、アクセス応答メッセージを送信する期間を判断させ、
前記リンクを確立するための前記アクセス応答メッセージを送信するための送信期間をチャネル上で予約させ、前記予約が、前記判断された期間に少なくとも部分的に基づき、
前記予約期間中に前記アクセス応答メッセージを送信させるコンピュータ可読記憶媒体。